(57)【要約】【課題】反射部材の上端の位置が高くなりすぎることを抑制しながらも、十分な量の光を屋内に取り込むことができる採光装置を提供すること。【解決手段】この採光装置１は、建物外壁ＷＬに形成された開口部よりも屋外側に配置され、屋外の光を当該開口部に向けて反射する反射部材１００を有している。  反射部材１００を側面視した場合において、反射部材１００の反射面１１０は、  鉛直下方に向けて入射した平行光が反射される方向を反射方向と定義したときに、  前記開口部に近い下方側の第一反射面１１１における反射方向が、開口部から遠い上方側の第二反射面１１２における反射方向よりも、水平面に対して成す角度において小さくなるように形成されている。【選択図】図４
2014207119.tif 000002
【特許請求の範囲】
【請求項１】
屋外の光を、建物外壁に形成された開口部を通じて屋内に取り込むための採光装置であって、
屋外の光を前記開口部に向けて反射するように、その反射面が水平面に対して傾斜した状態で屋外側に配置されている反射部材を備えており、
前記反射部材を側面視した場合において、前記反射面は、
鉛直下方に向けて入射した平行光が反射される方向を反射方向と定義したときに、
前記開口部に近い下方側の領域における前記反射方向が、前記開口部から遠い上方側の領域における前記反射方向よりも、水平面に対して成す角度において小さくなるように形成されていることを特徴とする採光装置。
【請求項２】
前記反射部材を側面視した場合において、
前記反射面は、最も下方側の領域である第一領域と、前記第一領域よりも上方側において前記第一領域に隣接する第二領域と、を有しており、
前記第一領域の水平方向に沿った長さは、前記第二領域の水平方向に沿った長さよりも短いことを特徴とする、請求項１に記載の採光装置。
【請求項３】
前記反射部材を側面視した場合において、
前記第二領域は、その中央部が屋外側に向けて後退するような凹形状の曲線を成していることを特徴とする、請求項２に記載の採光装置。
【請求項４】
前記反射部材を側面視した場合において、
前記第一領域は、その中央部が屋外側に向けて後退するような凹形状の曲線を成していることを特徴とする、請求項３に記載の採光装置。
【請求項５】
前記反射面の全体に、鉛直下方に向けて平行光が入射した場合において、
前記第一領域において反射された後、屋内に向けて広がりながら進む光を第一反射光とし、
前記第二領域において反射された後、屋内に向けて広がりながら進む光を第二反射光としたときに、
前記反射面は、
前記第一反射光と前記第二反射光とが、屋内においてそれぞれの少なくとも一部が互いに重なるように形成されていることを特徴とする、請求項４に記載の採光装置。
【請求項６】
前記反射面は、
屋内の一部の空間において前記第一反射光と前記第二反射光とが互いに重なり、当該空間の周囲には、前記第一反射光又は前記第二反射光のいずれか一方のみが到達するように形成されていることを特徴とする、請求項５に記載の採光装置。
【請求項７】
前記反射面は、
その全ての領域における前記反射方向が、水平方向よりも上方に向かう方向となるように形成されていることを特徴とする、請求項１乃至６のいずれか一項に記載の採光装置。
【発明の詳細な説明】
【技術分野】
【０００１】
本発明は、屋外の光を、建物外壁に形成された開口部を通じて屋内に取り込むための採光装置に関する。
【背景技術】
【０００２】
従来、屋外の光（太陽光）を屋内に取り込むための採光装置を建物の開口部（例えば、窓が装着された部分）の近傍に取り付けることにより、屋内の明るさを確保することが行われている。例えば下記特許文献１には、建物の開口部の外側に反射部材を配置し、当該反射部材に入射した太陽光を屋内に向けて反射する構成の採光装置が記載されている。このような構成の採光装置は、反射部材を用いることにより、建物の開口部に太陽光が直接入射する場合と比較してより多くの光を屋内に取り込むことができる。
【０００３】
また、下記特許文献２には、反射部材の角度を時間とともに変化させることにより、太陽の位置に拘わらず常に光を屋内に取り込むことを可能とした採光装置が記載されている。
【０００４】
ところで、住宅密集地においては建物間の距離が短く、建物の下層階にまでは太陽光が（直接には）届きにくい。このように太陽光が届きにくい場所では、昼間であっても屋内の明るさを十分に確保することができないため、採光装置を設置する必要性が特に高い。下記特許文献３には、このように太陽光が直接届きにくい場所に設置され、天空光を反射して屋内に取り込む採光装置が記載されている。天空光とは、太陽から直接（直線的に）到達するのではなく、大気中の水蒸気や塵等によって散乱された後に地表に到達する太陽光、又は、雲から反射された後に地表に到達する太陽光をいう。
【先行技術文献】
【特許文献】
【０００５】
【特許文献１】特開２００９−７６２１２号公報
【特許文献２】特開２００７−１１５４１７号公報
【特許文献３】特開２００４−２１４１８８号公報
【発明の概要】
【発明が解決しようとする課題】
【０００６】
天空光は、太陽から直接到達する光（以下、直接光とも称する）に比べると弱い光である。このため、多くの光を取り込んで屋内の明るさを十分に確保するためには、上記特許文献３に記載された採光装置の反射部材を大型化すると共に、建物の開口部を大きくする必要があるようにも思われる。
【０００７】
しかしながら、建物の開口部を徒に大きくしてしまうと、建物の断熱性や防犯性が低下することに加え、プライバシーを確保することが困難になるという問題も生じる。このため、建物の開口部は可能な限り小さくしなければならない。
【０００８】
そこで、建物の開口部を大きくすることなく多くの天空光を取り込むための一つの方法として、反射部材の反射面を平坦面ではなく凹形状の曲面（反射面の中央部が屋外側に向けて後退するような曲面）とし、反射光を収束させて開口部を通過させることが挙げられる。
【０００９】
しかしながら、この場合には、反射面のうち最も下方側の領域の傾き、すなわち、開口部に最も近い領域の傾きが水平に近づくこととなる。このような領域に上方から天空光が入射すると、当該領域で反射された光が開口部の内壁面（天面）に当たってしまい、屋内に到達しない場合がある。換言すれば、反射面で反射された光の一部が屋内に到達せず、反射面の一部が有効に利用されない場合がある。このような現象は、十分な量の光を屋内に取り込む構成としながらも、屋外側に配置された反射部材を可能な限り小型化するという観点からは好ましいものではない。
【００１０】
反射面の全体を有効に利用するために、反射面をより大きく傾斜させることも考えられる。すなわち、反射面全体の（平均的な）法線方向が水平面に対して成す角度を、より小さくすることも考えられる。しかし、このような構成においては、開口部の下端から反射部材の上端までの高さが大きくなり過ぎてしまうため、屋内側から見た場合における意匠性が低下してしまうという問題がある。
【００１１】
本発明はこのような課題に鑑みてなされたものであり、その目的は、反射部材の上端の位置が高くなりすぎることを抑制しながらも、十分な量の光を屋内に取り込むことができる採光装置を提供することにある。
【課題を解決するための手段】
【００１２】
上記課題を解決するために、本発明に係る採光装置は、屋外の光を、建物外壁に形成された開口部を通じて屋内に取り込むための採光装置であって、屋外の光を前記開口部に向けて反射するように、その反射面が水平面に対して傾斜した状態で屋外側に配置されている反射部材を備えており、前記反射部材を側面視した場合において、前記反射面は、鉛直下方に向けて入射した平行光が反射される方向を反射方向と定義したときに、前記開口部に近い下方側の領域における前記反射方向が、前記開口部から遠い上方側の領域における前記反射方向よりも、水平面に対して成す角度において小さくなるように形成されていることを特徴としている。
【００１３】
本発明では、建物外壁に形成された開口部よりも屋外側に配置され、屋外の光を開口部に向けて反射する反射部材を有している。建物外壁に沿って鉛直下方に向かう天空光を反射部材が反射することで、開口部を通じて反射光を屋内に取り込むことができる。
【００１４】
ここで、鉛直下方に向けて反射面の特定領域に入射した平行光が反射される方向を、当該領域における「反射方向」と定義する。反射部材を側面視した場合において、反射部材の反射面は、開口部に近い下方側の領域における上記反射方向が、開口部から遠い上方側の領域における反射方向よりも、水平面に対して成す角度において小さくなるように形成されている。
【００１５】
反射面がこのように形成されているため、鉛直下方に向けて平行光が入射した際には、反射面のうち最も下方側の領域（開口部に近い領域）で反射された光の進行方向が水平に近づくこととなる。その結果、当該領域の上方に存在する開口部の内壁面（天面）に、反射光の一部が当たってしまうことが抑制されるため、反射光の全体を屋内に到達させることが可能となる。
【００１６】
また、反射方向が水平面に対して成す角度を小さくするのは、反射面の全体ではなく下方側の領域だけである。従って、反射部材の上端の位置が高くなりすぎてしまうことはなく、これにより屋内側から見た場合における意匠性が低下してしまうこともない。このように、本発明によれば、反射部材の上端の位置が高くなりすぎることを抑制しながらも、十分な量の光を屋内に取り込むことが可能となる。
【００１７】
また本発明に係る採光装置では、前記反射部材を側面視した場合において、前記反射面は、最も下方側の領域である第一領域と、前記第一領域よりも上方側において前記第一領域に隣接する第二領域と、を有しており、前記第一領域の水平方向に沿った長さは、前記第二領域の水平方向に沿った長さよりも短いことも好ましい。
【００１８】
反射面のうち、反射光が開口部の内壁面（天面）に当たってしまう可能性があるのは、最も下方側の比較的狭い領域だけである。そこで、この好ましい態様では、反射面のうち最も下方側の領域であり、反射方向が水平面に対して成す角度が小さい第一領域を、その上方側に隣接する第二領域よりも狭くしている。具体的には、第一領域の水平方向に沿った長さを、第二領域の水平方向に沿った長さよりも短くしている。反射方向を水平に近づけることにより鉛直方向の寸法が大きくなってしまう第一領域を、必要最低限の範囲とすることができるため、反射部材の上端の位置が高くなりすぎることを更に抑制することができる。
【００１９】
また本発明に係る採光装置では、前記反射部材を側面視した場合において、前記第二領域は、その中央部が屋外側に向けて後退するような凹形状の曲線を成していることも好ましい。
【００２０】
この好ましい態様では、反射部材を側面視した場合における第二領域の形状が、その中央部が屋外側に向けて後退するような凹形状の曲線を成す形状となっている。反射面のうち大部分を占める第二領域をこのような形状とすることにより、ほとんどの反射光は収束しながら建物外壁の開口部を通過し、その後は屋内に向けて広がりながら進む。このため、開口部を大きくすることなく多くの光を屋内に取り込むことができる。
【００２１】
また本発明に係る採光装置では、前記反射部材を側面視した場合において、前記第一領域は、その中央部が屋外側に向けて後退するような凹形状の曲線を成していることも好ましい。
【００２２】
この好ましい態様では、反射部材を側面視した場合における第一領域の形状も、第二領域の場合と同様に、その中央部が屋外側に向けて後退するような凹形状の曲線を成す形状となっている。第一領域もこのような形状とすることにより、全ての反射光は収束しながら建物外壁の開口部を通過し、その後は屋内に向けて広がりながら進む。このため、開口部を大きくすることなく多くの光を屋内に取り込むことができる。
【００２３】
また本発明に係る採光装置では、前記反射面の全体に、鉛直下方に向けて平行光が入射した場合において、前記第一領域において反射された後、屋内に向けて広がりながら進む光を第一反射光とし、前記第二領域において反射された後、屋内に向けて広がりながら進む光を第二反射光としたときに、前記反射面は、前記第一反射光と前記第二反射光とが、屋内においてそれぞれの少なくとも一部が互いに重なるように形成されていることも好ましい。
【００２４】
この好ましい態様では、第一領域において反射された第一反射光と、第二領域において反射された第二反射光とが、屋内においてそれぞれの少なくとも一部が互いに重なるように、反射面が形成されている。第一反射光とは、鉛直下方に向かう平行光が反射面の全体に入射した場合において、凹形状の第一領域において反射された後、屋内に向けて広がりながら進む光である。また、第二反射光とは、鉛直下方に向かう平行光が反射面の全体に入射した場合において、凹形状の第二領域において反射された後、屋内に向けて広がりながら進む光である。
【００２５】
屋内に取り込まれた二つの反射光（第一反射光、第二反射光）が、互いに重なった状態で広がって行くため、屋内の広い範囲における明るさをより確保することができる。
【００２６】
また本発明に係る採光装置では、前記反射面は、屋内の一部の空間において前記第一反射光と前記第二反射光とが互いに重なり、当該空間の周囲には、前記第一反射光又は前記第二反射光のいずれか一方のみが到達するように形成されていることも好ましい。
【００２７】
この好ましい態様では、第一領域において反射された第一反射光と、第二領域において反射された第二反射光とが、屋内の一部の空間において互いに重なるように、反射面が形成されている。また、当該空間の周囲には、第一反射光又は前記第二反射光のいずれか一方のみが到達するように、反射面が形成されている。
【００２８】
このような構成により、屋内においては、その空間の一部において第一反射光と第二反射光とが互いに重なった状態となる一方で、当該空間の上下においては、第一反射光又は第二反射光のみが到達した状態となる。
【００２９】
その結果、屋内の空間は、屋外から取り込まれた光の量が多い空間（最も明るい空間）と、その上下であって屋外から取り込まれた光の量が比較的少ない空間と、その更に上下であって屋外から取り込まれた光が直接には到達しない空間（最も暗い空間）とに分かれることとなる。最も明るい空間と最も暗い空間とが隣接せず、空間における光量の分布が連続的となるため、屋内における光量の分布を自然なものとすることができる。
【００３０】
また本発明に係る採光装置では、前記反射面は、その全ての領域における前記反射方向が、水平方向よりも上方に向かう方向となるように形成されていることも好ましい。
【００３１】
この好ましい態様では、反射面は、その全ての領域における反射方向が、水平方向よりも上方に向かう方向となるように形成されている。このような構成により、鉛直下方に向けて反射面に入射した平行光は、開口部の下端よりも上方に向かうように屋内に向けて進む。このため、屋内における生活者の目に反射光が直接入射し、不快感を与えてしまうことを抑制することができる。
【発明の効果】
【００３２】
本発明によれば、反射部材の上端の位置が高くなりすぎることを抑制しながらも、十分な量の光を屋内に取り込むことができる採光装置を提供することができる。
【図面の簡単な説明】
【００３３】
【図１】本発明の一実施形態に係る採光装置が建物外壁に取り付けられた状態を、上方側から見た様子を示す斜視図である。
【図２】本発明の一実施形態に係る採光装置が建物外壁に取り付けられた状態を、下方側から見た様子を示す斜視図である。
【図３】図１に示した採光装置のうち、反射部材及び反射面の形状を説明するための図である。
【図４】図１に示した採光装置により屋内に取り込まれる光の経路を模式的に示す図である。
【図５】図１に示した採光装置により屋内に取り込まれる光の経路を模式的に示す図である。
【図６】本発明の別の実施形態に係る採光装置により屋内に取り込まれる光の経路を模式的に示す図である。
【図７】本発明の第一比較例に係る採光装置により屋内に取り込まれる光の経路を模式的に示す図である。
【図８】本発明の第二比較例に係る採光装置により屋内に取り込まれる光の経路を模式的に示す図である。
【発明を実施するための形態】
【００３４】
以下、添付図面を参照しながら本発明の実施の形態について説明する。説明の理解を容易にするため、各図面において同一の構成要素に対しては可能な限り同一の符号を付して、重複する説明は省略する。
【００３５】
図１及び図２を参照しながら、本実施形態に係る採光装置１の構成を説明する。図１は、採光装置１が建物外壁ＷＬに取り付けられた状態を、上方側から見た様子を示す斜視図である。図２は、採光装置１が建物外壁ＷＬに取り付けられた状態を、下方側から見た様子を示す斜視図である。図１及び図２に示したように、採光装置１は、建物外壁ＷＬの開口部に装着された引き違い窓ＷＤの下方且つ屋外側において、建物外壁ＷＬに対して固定されている。
【００３６】
引き違い窓ＷＤは、建物外壁ＷＬと平行にスライド可能な２つのサッシ枠ＷＦと、それぞれのサッシ枠に保持されたガラス板ＧＬを有している。当該ガラス板ＧＬは透明であるため、引き違い窓ＷＤを閉じた状態であっても、屋外から屋内に向けて光が透過できるようになっている。
【００３７】
図１においては、建物外壁ＷＬの法線方向をｘ方向とし、当該方向に沿ってｘ軸を設定している。また、ｘ方向を向いた場合における左方向（水平且つ、ｘ方向に対して垂直な方向）をｙ方向とし、当該方向に沿ってｙ軸を設定している。更に、鉛直上方に向かう方向をｚ方向とし、当該方向に沿ってｚ軸を設定している。以降の図面及び説明においても、ｘ方向、ｙ方向、ｚ方向を上記と同様に定義し、ｘ軸、ｙ軸、ｚ軸を上記と同様に設定する。
【００３８】
採光装置１は、反射部材１００と、支持部材２０１、２０２とを備えている。反射部材１００は、屋外の光を反射し、反射光を引き違い窓ＷＤを通じて屋内に入射させるための部材である。反射部材１００は、上面視において略長方形状の板状体であって、建物外壁ＷＬに近い方の端部が下方に位置し、建物外壁ＷＬから遠い方の端部（ｘ方向における端部）が上方に位置するように傾斜した状態で配置されている。反射部材１００の上面（屋内側の面）には全体に鏡面加工が施されており、反射面１１０を形成している。
【００３９】
反射面１１０は、任意の点における法線がｘ−ｚ平面に対し平行となるような形状となっている。換言すれば、任意の点における法線のｙ方向成分が０となるような形状となっている。このため、反射部材１００をｙ方向に沿って見た場合（側面視した場合）には、反射面１１０は線状となっている。
【００４０】
反射面１１０は、水平且つ建物外壁ＷＬに対して平行な境界線ＢＬよりも下方側（引き違い窓ＷＤに近い側）の領域である第一反射面１１１と、境界線ＢＬよりも上方側（引き違い窓ＷＤから遠い側）の領域である第二反射面１１２とを有している。第一反射面１１１のｘ方向に沿った長さは、第二反射面１１２のｘ方向に沿った長さよりも短い。
【００４１】
反射部材１００のうち境界線ＢＬよりも下方側の部分は、ｙ方向に沿って見た場合に、その中央部が屋外側に向けて後退するように湾曲した形状の曲線となっている。このため、第一反射面１１１も同様に（凹形状に）湾曲した形状の曲線となっている。
【００４２】
反射部材１００のうち境界線ＢＬよりも上方側の部分は、ｙ方向に沿って見た場合に、その中央部が屋外側に向けて後退するように湾曲した形状の曲線となっている。このため、第二反射面１１２も同様に（凹形状に）湾曲した形状の曲線となっている。
【００４３】
第一反射面１１１と第二反射面１１２とは、それぞれが滑らかな曲面となるように形成されているが、境界線ＢＬにおける両者の接続部は滑らかとなっていない。反射面１１０は、その法線方向が境界線ＢＬにおいて不連続に変化するような形状となっている。
【００４４】
支持部材２０１、２０２は、いずれも反射部材１００を下方から支持して固定するための部材であって、一端（下端）が建物外壁ＷＬに対して締結固定されており、他端（上端）が反射部材１００の下面（反射面１１０とは反対側の面）に対して締結固定されている。支持部材２０１は、反射部材のうちｘ方向を向いた場合における右側端部近傍を下方から支持しており、支持部材２０２は、反射部材のうちｘ方向を向いた場合における左側端部近傍を下方から支持している。
【００４５】
反射部材１００及び反射面１１０の具体的な形状について、図３を参照しながら説明する。図３は、１００及び反射面１１０の形状を説明するための図であって、反射部材１００をｙ方向に沿って側方側から見た状態を模式的に示している。図３においては、反射部材１００以外の図示を省略している。
【００４６】
既に説明したように、反射面１１０は第一反射面１１１と第二反射面１１２とを有しており、これら二つの領域が境界線ＢＬを挟んで互いに隣接している。図３に示した点Ａは、第一反射面１１１の下端の辺を側方側から見たものである。点Ｂは、第一反射面１１１の上端の辺（境界線ＢＬであり、第二反射面１１２の下端の辺でもある）を側方側から見たものである。点Ｃは、第二反射面１１２の上端の辺を側方側から見たものである。
【００４７】
ところで、採光装置１は、窓ＷＤに対する向かいの建物との距離が短い等の理由により、太陽からの光が直接には届きにくい場所に取り付けられている。このため、建物外壁ＷＬの屋外側（ｘ方向側）における光の殆どは、建物外壁ＷＬに沿って鉛直下方（−ｚ方向）に向かうような天空光であるとみなすことができる。また、太陽の位置は時間とともに変化するため、季節や時間帯によっては、太陽からの光が建物外壁ＷＬの屋外側に直接届くような場合も生じ得る。この場合であっても、光は建物外壁ＷＬに沿って鉛直下方に向かう成分を有することとなる。
【００４８】
すなわち、いずれの場合であっても、建物外壁ＷＬの屋外側における光の殆どは、建物外壁ＷＬに沿って鉛直下方に向かう平行光とみてよい。そこで、以下の説明においては、反射面１１０に入射する光は全て、建物外壁ＷＬに沿って鉛直下方に向かう平行光であるものとする。図３においては、このような平行光のうち反射面１１０に入射する光の経路を、２本の点線により入射光路ＩＬ１０及びＩＬ２０として描いている。尚、これらの点線で示された入射光路ＩＬ１０等以外にも、これらと平行な無数の入射光路が存在することは言うまでもない。入射光路ＩＬ１０は、これら無数の入射光路のうち、第一反射面１１１に入射する入射光路を代表して示すものである。入射光路ＩＬ２０は、これら無数の入射光路のうち、第二反射面１１２に入射する入射光路を代表して示すものである。
【００４９】
第一反射面１１１は曲面であるから、特定の領域（点ではない）に入射した平行光が反射される方向は一方向に決まらず、実際には無数の方向に反射される。以下の説明では、当該領域で反射された光が平均的に向かう一つの方向を、当該領域における「反射方向」と定義する。
【００５０】
図３に示した直線ＶＬ１は、第一反射面１１１上の各点における法線方向を平均して得られた平均法線方向ＮＬ１に対し、垂直な平面（仮想的な平坦面）を示している。本実施形態を示す図３においては、直線ＶＬ１は点Ａと点Ｂとを結ぶ直線に一致している。
【００５１】
反射光路ＲＬ１０は、このような仮想的な平坦面に対し入射光路ＩＬ１０に沿って光が入射した場合に、当該平坦面により反射される反射光の経路を示している。すなわち、反射光路ＲＬ１０の方向は、第一反射面１１１における反射方向に等しい。
【００５２】
図３に示した直線ＶＬ２は、第二反射面１１２上の各点における法線方向を平均して得られた平均法線方向ＮＬ２に対し、垂直な平面（仮想的な平坦面）を示している。本実施形態を示す図３においては、直線ＶＬ２は点Ｂと点Ｃとを結ぶ直線に一致している。
【００５３】
反射光路ＲＬ２０は、このような仮想的な平坦面に対し入射光路ＩＬ２０に沿って光が入射した場合に、当該平坦面により反射された反射光の経路を示している。すなわち、反射光路ＲＬ２０の方向は、第二反射面１１２における反射方向に等しい。
【００５４】
図３に示したように、第一反射面１１１における反射方向（反射光路ＲＬ１０の方向）が水平面ＨＬに対して成す角度θ１は、第二反射面１１２における反射方向（反射光路ＲＬ２０の方向）が水平面ＨＬに対して成す角度θ２よりも小さくなっている。このため、第一反射面１１１で反射された光は、第二反射面１１２で反射された光よりも、（平均的に）水平に近い角度で屋内に向かって進むこととなる。
【００５５】
反射面１１０の形状をこのように構成したことの効果について説明する。図７は、本発明との第一比較例に係る採光装置１ａにより、屋内に取り込まれる光の経路を模式的に示す図である。採光装置１ａは、反射部材１００ａ及び反射面１１０ａの形状においてのみ採光装置１と異なっており、他については同様の構成となっている。図７に示したように、反射面１１０ａは、ｙ方向に沿って見た場合に、その中央部が屋外側に向けて後退するように湾曲した形状の曲線となっている。反射面１１０と異なり、反射面１１０ａは全体が滑らかな曲面となっており、法線方向が不連続に変化するような境界線は反射面１１０ａ上には存在しない。
【００５６】
採光装置１ａは、反射面１１０ａが一つの凹形状の曲面となっていることにより、反射面１１０ａのうち最も下方側の領域の傾き、すなわち、引き違い窓ＷＤに最も近い領域の傾きが水平に近づいている。このような領域に上方から天空光が入射すると、当該領域で反射された光が屋内に到達しない場合がある。
【００５７】
図７では、このような現象が生じている例を示している。入射光路ＩＬ２２に沿って、反射面１１０ａのうち建物外壁ＷＬから遠い方の端部（ｘ方向における端部）に入射した光は、反射光路ＲＬ２２に沿って進み、ガラス板ＧＬを透過して屋内に到達する。
【００５８】
ところが、入射光路ＩＬ１１や入射光路ＩＬ１３に沿って、反射面１１０ａのうち建物外壁ＷＬに近い領域に入射した光は、それぞれ反射光路ＲＬ１１や反射光路ＲＬ１３に沿って進み開口部の天面（本実施形態では、ガラス板ＧＬとサッシ枠ＷＦとの境界部ＷＦＴである）に当たってしまい、屋内に到達することができない。これは、反射面１１０ａのうち建物外壁ＷＬに近い領域においては、当該領域の反射方向が水平面に対して成す角度が比較的大きい（９０度に近い）ことに起因している。
【００５９】
その結果、採光装置１ａにおいては、反射面１１０ａで反射された光の一部が屋内に到達せず、反射面１１０ａの一部が有効に利用されていない。このような現象は、十分な量の光を屋内に取り込む構成としながらも、屋外側に配置された反射部材１００ａを可能な限り小型化するという観点からは好ましいものではない。
【００６０】
そこで、反射面１１０ａの全体を有効に利用するために、反射面１１０ａをより大きく傾斜させることも考えられる。すなわち、反射面１１０ａ全体の（平均的な）法線方向が水平面に対して成す角度を、より小さくすることも考えられる。
【００６１】
図８は、本発明との第二比較例に係る採光装置１ｂにより、屋内に取り込まれる光の経路を模式的に示す図である。採光装置１ｂは、反射面１１０ｂの傾きにおいてのみ採光装置１ｂと異なっており、他については同様の構成となっている。図８に示したように、採光装置１ｂは、図７に示した採光装置１ａの反射部材１００ａを、より大きく傾けて配置した構成となっている。
【００６２】
図８に示したように、入射光路ＩＬ２３に沿って、反射面１１０ｂのうち建物外壁ＷＬから遠い方の端部（ｘ方向における端部）に入射した光は、反射光路ＲＬ２３に沿って進み、ガラス板ＧＬを透過して屋内に到達する。また、入射光路ＩＬ１１に沿って、反射面１１０ｂのうち建物外壁ＷＬに近い方の端部に入射した光も、反射光路ＲＬ１１に沿って進み、ガラス板ＧＬを透過して屋内に到達する。このように、反射面１１０ｂに入射した全ての光が、ガラス板ＧＬを透過して屋内に到達する。
【００６３】
ところが、図７と図８を比較すると明らかなように、反射部材１００ｂの下端から上端までの高さは、反射部材１００ａの下端から上端までの高さよりも高くなっている。このため、引き違い窓ＷＤは、その下端から上方に向けて広い範囲を反射部材１００ｂによって覆われることとなり、屋内側から見た場合における意匠性が低下してしまう。
【００６４】
また、反射面１１０ａには、入射光路ＩＬ１１から入射光路ＩＬ２２までの広い範囲で天空光が入射していたのに対し、反射面１１０ｂには、入射光路ＩＬ１１から入射光路ＩＬ２３までの狭い範囲でしか天空光が入射していない。このため、反射面１１０ｂで反射されて屋内に到達する光の量は少なくなっている。
【００６５】
反射面１１０ａの場合と同程度の量の光を屋内に到達させようとすると、図８の符合１００ｅｘで示したように、反射面１１０ｂの上端を更に上方に向けて伸ばす必要がある。しかし、この場合には、屋内側から見た場合における意匠性が更に低下してしまう。
【００６６】
そこで、この好ましい態様では、反射面１１０のうち引き違い窓ＷＤ側の領域（第一反射面１１１）の形状を工夫することにより、反射部材１００の上端の位置が高くなりすぎることを抑制しながらも、十分な量の光を屋内に取り込むことを可能としている。図４は、採光装置１により屋内に取り込まれる光の経路を模式的に示す図である。尚、煩雑さを避けるために、図４においては支持部材２０１、２０２の図示を省略している。また、引き違い窓ＷＤの構造は簡略化して模式的に描いている。後述の図５においても同様である。
【００６７】
反射面１１０の水平方向に沿った長さは、図７に示した反射面１１０ａの水平方向に沿った長さとほぼ等しくなっている。このため、反射面１１０には、入射光路ＩＬ１１から入射光路ＩＬ２２までの広い範囲で天空光が入射する。図３では、反射面１１０のうち境界線ＢＬよりも僅かに屋内側の位置に入射する光の経路を、入射光路ＩＬ１２として描いている。また、入射光路ＩＬ１２に沿って光が入射した場合の反射光の経路を、反射光路ＲＬ１２として描いている。
【００６８】
また、反射面１１０のうち境界線ＢＬよりも僅かにｘ方向側の位置に入射する光の経路を、入射光路ＩＬ２１として描いている。また、入射光路ＩＬ２１に沿って光が入射した場合の反射光の経路を、反射光路ＲＬ２１として描いている。
【００６９】
図３を参照しながら説明したように、反射面１１０のうち引き違い窓ＷＤ側の領域（第一反射面１１１）の反射方向は、図７の場合に比べるとより水平に近い方向となっている。このため、第一反射面１１１において反射された光が向かう方向（反射光路ＲＬ１１、反射光路ＲＬ１２）は、図７の場合に比べてより水平に近い方向となっている。その結果、第一反射面１１１で反射された光は境界部ＷＦＴに当たることなく、その全てがガラス板ＧＬを透過して屋内に到達する。
【００７０】
一方、反射面１１０のうち第二反射面１１２については、図７に示した反射面１１０ａと同一の配置となっている。入射光路ＩＬ１１に沿って第二反射面１１２の上端部（点Ｃ）に入射した光は、第二反射面１１２によって反射された後、図７の場合と同様に反射光路ＲＬ２２に沿って進み、ガラス板ＧＬを透過して屋内に到達する。入射光路ＩＬ２１に沿って第二反射面１１２の下端部（点Ｂ）の近傍に入射した光は、第二反射面１１２によって反射された後、反射光路ＲＬ２１に沿って進み、ガラス板ＧＬを透過して屋内に到達する。その結果、第二反射面１１２で反射された光も、その全てがガラス板ＧＬを透過して屋内に到達する。
【００７１】
このように、本実施形態に係る採光装置１によれば、第一反射面１１１の反射方向が水平面に対して成す角度を小さくすることにより、反射面１１０に入射して反射された全ての光を屋内に到達させることが可能となっている。また、反射方向が水平面に対して成す角度を小さくするのは、反射面１１０の全体ではなく下方側の領域（第一反射面１１１）だけである。従って、反射部材１００の上端の位置（点Ｃ）が高くなりすぎてしまうことはなく、これにより屋内側から見た場合における意匠性が低下してしまうこともない。このように、採光装置１によれば、反射部材１００の上端の位置が高くなりすぎることを抑制しながらも、十分な量の光を屋内に取り込むことが可能となっている。
【００７２】
図７に示したように、反射光が開口部の内壁面（境界部ＷＦＴ）に当たってしまう可能性があるのは、反射面１１０ａのうち最も下方側の比較的狭い領域だけである。そこで、採光装置１では、反射部材１００をｙ方向から見た場合において、第一反射面１１１の水平方向（ｘ方向）に沿った長さが、第二反射面１１２の水平方向（ｘ方向）に沿った長さよりも短くなっている。反射方向を水平に近づけることにより鉛直方向の寸法が大きくなってしまう領域（第一反射面１１１）を、必要最低限の範囲としているため、反射部材１００の上端の位置（点Ｃ）が高くなりすぎることを更に抑制することが可能となっている。
【００７３】
図５は、図４と同様に、採光装置１により屋内に取り込まれる光の経路を模式的に示す図である。図５では、屋内における光の進行方向を、図４よりも広い範囲にわたって描いている。
【００７４】
第一反射面１１１及び第二反射面１１２は、いずれも、その中央部が屋外側に向けて後退するような凹形状の曲面となっている。このため、それぞれにおいて反射された光は、収束しながら引き違い窓ＷＤを通過した後、屋内に向けて広がりながら進む。
【００７５】
図５において、反射光路ＲＬ１１は、第一反射面１１１のうち下端部で反射された光の経路である。反射光路ＲＬ１２は、第一反射面１１１のうち上端部の近傍で反射された光の経路である。反射光路ＲＬ２１は、第二反射面１１２のうち下端部の近傍で反射された光の経路である。反射光路ＲＬ２２は、第二反射面１１２のうち上端部で反射された光の経路である。
【００７６】
図５に示したように、第一反射面１１１で反射された後に屋内に向けて広がりながら進む光（第一反射光）と、第二反射面１１２で反射された後に屋内に向けて広がりながら進む光（第二反射光）とが存在している。図５では、第一反射光の範囲を矢印Ａ１で示している。また、第二反射光の範囲を矢印Ａ２で示している。
【００７７】
屋内側の空間は、第一反射光と第二反射光とが互いに重なっている領域ＡＲ１０と、第二反射光のみが到達している領域ＡＲ２１、ＡＲ２２と、第一反射光と第二反射光のいずれも到達しない領域ＡＲ３１、ＡＲ３２とに分かれている。領域ＡＲ２１は、領域ＡＲ１０に対して上方側に隣接する領域である。領域ＡＲ３１は、領域ＡＲ２１に対して上方側に隣接する領域である。領域ＡＲ２２は、領域ＡＲ１０に対して下方側に隣接する領域である。領域ＡＲ３２は、領域ＡＲ２２に対して下方側に隣接する領域である。
【００７８】
このように、屋内側の空間においては、最も明るい領域（領域ＡＲ１０）と最も暗い領域（領域ＡＲ３１、領域ＡＲ３２）とが隣接せず、空間における光量の分布が連続的となっている。このため、屋内における光量の分布が自然なものとなっている。
【００７９】
また、図５に示したように、反射面１１０で反射された全ての光は、その進行方向が水平方向よりも上方に向かう方向となっている。反射面１１０をこのように形成することにより、屋内に到達した反射光は、引き違い窓ＷＤの下端よりも上方に向かって進む。このため、屋内における生活者の目に反射光が直接入射し、不快感を与えてしまうことが抑制される。
【００８０】
反射部材１００を形成する方法について、簡単に説明する。反射部材１００は、樹脂の押し出し成形により板状の基材を形成し、当該基材の一方の表面全体に一枚のアルミシートを貼り付けることにより形成されている。当該アルミシートの光沢面が、反射面１１０となっている。
【００８１】
このように、第一反射面１１１が形成されている部分と、第二反射面１１２が形成されている部分とが、別体ではなく一体として形成されている。このため、反射部材１００全体の強度が保たれている。
【００８２】
また、上記のような方法のほか、金属のプレス成形により基材を形成してもよい。この場合、基材に対して加工強度が付与されるため、反射部材１００全体の強度をより向上させることが可能である。
【００８３】
続いて、図６を参照しながら、本発明の別の実施形態に係る採光装置１ｃについて説明する。図６は、採光装置１ｃにより屋内に取り込まれる光の経路を模式的に示している。採光装置１ｃは、反射面１１０ｃのうち第一反射面１１１ｃの傾きにおいてのみ採光装置１と異なっており、他については採光装置１と同様の構成となっている。図６に示したように、第一反射面１１１ｃは、図５に示した採光装置１ａの第一反射面１１１ｃよりも傾きが緩やかな状態（その平均的な法線方向がより上方に向かうような状態）で配置されている。
【００８４】
第一反射面１１１ｃ及び第二反射面１１２ｃは、いずれも、その中央部が屋外側に向けて後退するような凹形状の曲面となっている。このため、それぞれにおいて反射された光は、収束しながら引き違い窓ＷＤを通過した後、屋内に向けて広がりながら進む。
【００８５】
図６において、反射光路ＲＬ１１は、第一反射面１１１ｃのうち下端部で反射された光の経路である。反射光路ＲＬ１２は、第一反射面１１１ｃのうち上端部の近傍で反射された光の経路である。反射光路ＲＬ２１は、第二反射面１１２ｃのうち下端部の近傍で反射された光の経路である。反射光路ＲＬ２２は、第二反射面１１２ｃのうち上端部で反射された光の経路である。
【００８６】
図６に示したように、第一反射面１１１ｃで反射された後に屋内に向けて広がりながら進む光（第一反射光）と、第二反射面１１２ｃで反射された後に屋内に向けて広がりながら進む光（第二反射光）とが存在している。図６では、第一反射光の範囲を矢印Ａ１で示している。また、第二反射光の範囲を矢印Ａ２で示している。
【００８７】
屋内側の空間は、第一反射光と第二反射光とが互いに重なっている領域ＡＲ１０と、第一反射光のみが到達している領域ＡＲ２１と、第二反射光のみが到達している領域ＡＲ２２と、第一反射光と第二反射光のいずれも到達しない領域ＡＲ３１、ＡＲ３２とに分かれている。領域ＡＲ２１は、領域ＡＲ１０に対して上方側に隣接する領域である。領域ＡＲ３１は、領域ＡＲ２１に対して上方側に隣接する領域である。領域ＡＲ２２は、領域ＡＲ１０に対して下方側に隣接する領域である。領域ＡＲ３２は、領域ＡＲ２２に対して下方側に隣接する領域である。
【００８８】
このように、屋内側の空間には、第二反射光のみが到達するような場合に比べて、より広い範囲に光が到達している。すなわち、図６の矢印Ａ２で示された範囲よりも広い範囲（図６の矢印Ａ２で示された範囲に、図６の矢印Ａ１で示された範囲を加えた範囲）に、反射面１１０ｃで反射された光が到達している。図６に示したような態様の他、第一反射面１１１ｃと第二反射面１１２ｃとの形状を調整することにより、図６の矢印Ａ２で示された範囲に加えて更に下方側の範囲を照らすなど、屋内における光の到達範囲を適宜調整することができる。
【００８９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９０】
１，１ａ，１ｂ，１ｃ：採光装置
１００，１００ａ，１００ｂ，１００ｃ：反射部材
１１０，１１０ａ，１１０ｂ，１１０ｃ：反射面
１１１，１１１ｃ：第一反射面
１１２，１１２ｃ：第二反射面
２０１，２０２：支持部材
ＷＤ：引き違い窓
ＷＦ：サッシ枠
ＧＬ：ガラス板
ＷＦＴ：境界部
ＷＬ：建物外壁
【図１】
2014207119.tif 000003
【図２】
2014207119.tif 000004
【図３】
2014207119.tif 000005
【図４】
2014207119.tif 000006
【図５】
2014207119.tif 000007
【図６】
2014207119.tif 000008
【図７】
2014207119.tif 000009
【図８】
2014207119.tif 000010